(57)【要約】【課題】加湿フィルターのカビや雑菌の繁殖を低減し悪臭の発生を防止することができることを目的とする。【解決手段】静電霧化装置１７を本体１の内部に設け、加湿運転停止後に空気吹き出し口１２の開閉手段を閉止し、かつ仕切板の開閉部７ａを開放し内部除菌運転を行うという構成にしたことにより、内部除菌運転中に静電霧化装置１７から微細水マイナスイオンが発生し、その微細水マイナスイオンが空気吹き出し口１２の開閉手段でせきとめられ仕切板の開閉部７ａを通過し本体１内部を循環することにより加湿フィルター６に満遍なく接触するので、加湿フィルター６のカビや雑菌の繁殖を低減し悪臭の発生を防止することができる加湿機能付き空気調和機を得られる。【選択図】図１
2015048954.tif 000002
【特許請求の範囲】
【請求項１】
本体の内部に送風手段と、戻り管と往き管とを有した熱源機に接続される加熱手段と加湿フィルターとを具備し、前記送風手段を通して前記本体の一側面に開口された空気吸い込み口から室内の空気を取り入れ、前記加熱手段を通して加熱しさらに前記加湿フィルターを通して加湿して調和された前記空気を前記一側面に開口された空気吹き出し口から室内に戻し、前記空気吹き出し口に開口を開閉する開閉手段を設け、前記加熱手段と前記加湿フィルターの下方に前記吹き出し口近傍が開放可能な開閉部を持つ仕切板を設け、静電霧化装置を前記本体の内部に設け、加湿運転停止後に前記空気吹き出し口の開閉手段を閉止し、かつ前記仕切板の前記開閉部を開放し内部除菌運転を行うことを特徴とする加湿機能付き空気調和機。
【請求項２】
静電霧化装置を、空気吸い込み口の近傍に設けたことを特徴とする請求項１に記載の加湿機能付き空気調和機。
【請求項３】
静電霧化装置を、空気吹き出し口の近傍に設けたことを特徴とする請求項１に記載の加湿機能付き空気調和機。
【発明の詳細な説明】
【技術分野】
【０００１】
本発明は、居室の加湿を行う気化式の加湿機能付き空気調和機に関するものである。
【背景技術】
【０００２】
従来より、冬場における居室環境の温度による快適性を向上させる手段として、例えば居室に置いて使用する石油ストーブやファンヒーター、居室の壁に据付設置して使用するパッケージエアコン、居室の天井裏空間に隠蔽設置し、送風ダクトを介して居室に温風を供給する空調システム、温水循環型熱源機と接続して居室を自然対流で暖めるセントラルヒーティングシステムといった様々な暖房機器が用いられている。
【０００３】
上記の暖房機器が導入された居室において、さらに快適性を向上させる手段として、居室環境の湿度による快適性を整えることが重要となる。生活環境において、一般的に快適とされる湿度は相対湿度４０〜６０％とされているが、前に上げた暖房システムは居室の温度のみを上げるもので、温度による快適性は確保できても、相対湿度が低くなるため湿度による快適性は確保できない。そこで、湿度による快適性を確保したいユーザーは、居室内に加湿装置を準備し、暖房を行う際に加湿装置で加湿も行うことになる。加湿装置としては、例えば、水を加熱して蒸気を発生させる方式、加湿フィルターに水を浸透させファンで送風して気化させる方式、超音波による振動で水滴を放出する方式、ノズル等を用いて水を直接噴霧する方式等、様々な方法が提案され、どれも一般的に普及している。
【０００４】
上記の加湿装置は共通する特徴として加湿タンクに充填された水道水を加湿に用いるものである。しかし、運転停止時や長期使用しない場合に加湿タンクや加湿ユニットに残った水が原因でカビや雑菌が繁殖し、臭いの発生原因となる場合がある。
【０００５】
上記の課題に対応するため加湿用フィルターを用いる加湿装置において運転終了後にフィルターを乾燥させ、カビや雑菌の繁殖を防止するものが提案されている（例えば特許文献１参照）。
【０００６】
以下その加湿装置について図２を参照しながら説明する。
【０００７】
内部にファン１０２とファンモータ１０３と加湿フィルター１０４と給水タンク１０５と加湿フィルター１０４の下部に水槽部１０６が具備された箱型の本体１０１において、吸込み口１０７より吸い込まれた乾いた空気が水槽部１０６に給水タンク１０５から供給された水に下端が浸かった加湿フィルター１０４を通って、加湿された空気が吹き出し口１０８より吹出されるものである。水位検知をフィルター１０４の下端よりも下に設けることにより、給水タンク１０５の水がなくなったことをフィルター１０４の下端に水が触れていない状態で検知し、また一定時間ファンを運転させた後ファンモータ１０３を停止させることにより加湿フィルター１０４を乾かすことを特徴としたものである。
【０００８】
これによると、運転停止時に加湿フィルター１０４を乾燥状態とし、カビや雑菌の繁殖を防ぎ、悪臭の発生を防止することができる。
【０００９】
しかし、吸込み空気の湿度が高く加湿フィルターが十分に乾燥されない場合や、乾燥後の加湿フィルターが機器内部に残った水が蒸発した水蒸気を吸うことにより、乾燥状態とならなかった場合に加湿フィルターに残ったカビや雑菌が繁殖し、悪臭の原因となってしまうという課題があった。
【先行技術文献】
【特許文献】
【００１０】
【特許文献１】特開２００３−９７８２９号公報
【発明の概要】
【発明が解決しようとする課題】
【００１１】
このような従来の加湿機能付き空気調和機においては、加湿フィルターにカビが発生したり雑菌が繁殖することにより悪臭がする、という課題を有していた。
【００１２】
そこで本発明は、上記従来の課題を解決するものであり、加湿フィルターのカビや雑菌の繁殖を低減し悪臭の発生を防止することができる加湿機能付き空気調和機を提供することを目的とする。
【課題を解決するための手段】
【００１３】
そして、この目的を達成するために、本発明は、本体の内部に送風手段と、戻り管と往き管とを有した熱源機に接続される加熱手段と加湿フィルターとを具備し、前記送風手段を通して前記本体の一側面に開口された空気吸い込み口から室内の空気を取り入れ、前記加熱手段を通して加熱しさらに前記加湿フィルターを通して加湿して調和された前記空気を前記一側面に開口された空気吹き出し口から室内に戻し、前記空気吹き出し口に開口を開閉する開閉手段を設け、前記加熱手段と前記加湿フィルターの下方に前記吹き出し口近傍が開放可能な開閉部を持つ仕切板を設け、静電霧化装置を前記本体の内部に設け、加湿運転停止後に前記空気吹き出し口の開閉手段を閉止し、かつ前記仕切板の前記開閉部を開放し内部除菌運転を行うとしたものであり、これにより所期の目的を達成するものである。
【発明の効果】
【００１４】
本発明によれば、本体の内部に送風手段と、戻り管と往き管とを有した熱源機に接続される加熱手段と加湿フィルターとを具備し、前記送風手段を通して前記本体の一側面に開口された空気吸い込み口から室内の空気を取り入れ、前記加熱手段を通して加熱しさらに前記加湿フィルターを通して加湿して調和された前記空気を前記一側面に開口された空気吹き出し口から室内に戻し、前記空気吹き出し口に開口を開閉する開閉手段を設け、前記加熱手段と前記加湿フィルターの下方に前記吹き出し口近傍が開放可能な開閉部を持つ仕切板を設け、静電霧化装置を前記本体の内部に設け、加湿運転停止後に前記空気吹き出し口の開閉手段を閉止し、かつ前記仕切板の前記開閉部を開放し内部除菌運転を行う、という構成にしたことにより、内部除菌運転中に静電霧化装置から微細水マイナスイオンが発生し、その微細水マイナスイオンが空気吹き出し口の開閉手段でせきとめられ仕切板の開閉部を通過し本体内部を循環することにより加湿フィルターに満遍なく接触することとなるので、加湿フィルターのカビや雑菌の繁殖を低減し悪臭の発生を防止することができる、という効果を得ることができる。
【図面の簡単な説明】
【００１５】
【図１】本発明の実施の形態１の加湿機能付き空気調和機の内部構造を示す構成図
【図２】従来の加湿機能付き空気調和機の内部構造を示す構成図
【発明を実施するための形態】
【００１６】
本発明の請求項１記載の加湿機能付き空気調和機は、本体の内部に送風手段と、戻り管と往き管とを有した熱源機に接続される加熱手段と加湿フィルターとを具備し、前記送風手段を通して前記本体の一側面に開口された空気吸い込み口から室内の空気を取り入れ、前記加熱手段を通して加熱しさらに前記加湿フィルターを通して加湿して調和された前記空気を前記一側面に開口された空気吹き出し口から室内に戻し、前記空気吹き出し口に開口を開閉する開閉手段を設け、前記加熱手段と前記加湿フィルターの下方に前記吹き出し口近傍が開放可能な開閉部を持つ仕切板を設け、静電霧化装置を前記本体の内部に設け、加湿運転停止後に前記空気吹き出し口の開閉手段を閉止し、かつ前記仕切板の前記開閉部を開放し内部除菌運転を行う、という構成を有する。
【００１７】
これにより、内部除菌運転中に静電霧化装置から微細水マイナスイオンが発生し、その微細水マイナスイオンが空気吹き出し口の開閉手段でせきとめられ仕切板の開閉部を通過し本体内部を循環することにより加湿フィルターに満遍なく接触することとなるので、加湿フィルターのカビや雑菌の繁殖を低減し悪臭の発生を防止することができる、という効果を奏する。
【００１８】
また、静電霧化装置を、空気吸い込み口の近傍に設けた、という構成にしてもよい。
【００１９】
これにより、加湿運転中に静電霧化装置から微細水マイナスイオンが発生し、空気吸い込み口から吸い込まれた空気に微細水マイナスイオンが接触し微細水マイナスイオンを含んだ空気が加湿フィルターに接触することとなるので、加湿運転中もカビや雑菌の繁殖を低減し悪臭の発生を防止することができる、という効果を奏する。
【００２０】
また、静電霧化装置を、空気吹き出し口の近傍に設けた、という構成にしてもよい。
【００２１】
これにより、加湿運転中に静電霧化装置から微細水マイナスイオンが発生し、吹き出し空気とともに室内に吹き出されることとなるので、室内のカビや雑菌を低減できる、という効果を奏する。
【００２２】
以下、本発明の実施の形態について図面を参照しながら説明する。
【００２３】
（実施の形態１）
図１に示すように、本体１は風路を兼ねたフレーム２の内部に、送風手段としてシロッコファン３およびファンモータ４とを備え、加熱手段として温水循環型熱源機（図示せず）に接続される熱交換器５とを備え、加湿手段として加湿の効率が良いとされている加湿素子が格子状に編みこまれた加湿フィルター６を備える。
【００２４】
そして、加湿フィルター６に吸水を行わせる手段として、熱交換器５と加湿フィルター６との下方に例えばコストが安くかつ耐薬性である樹脂製（ＰＰ）で加湿水の貯水プールの役割と吸い込み空気と吹き出し空気が混ざらない役割を兼ねる仕切板７とを備え、給水手段として上水配管（図示せず）に接続される給水配管９と一般的に使用されているパイロット式電磁弁である給水弁８を備え、給水弁８を駆動することで上水である加湿水を仕切板７に注ぎ、仕切板７の加湿水を吸い上げるように取り付けられた加湿フィルター６に加湿水を毛細管現象で吸い上げさせる。
【００２５】
ファンモータ４（ＡＣ）が駆動しシロッコファン３が回転し、本体１の一側面例えば居室１５に面した側面に設けた衣装パネル１０に、床の近傍側に開口された空気吸い込み口１１からメッシュ状の吸い込み空気フィルター１４を通して居室１５の空気を吸い込み、熱交換器５の方向に押し出される。
【００２６】
熱交換器５は銅管と放熱用アルミフィンから構成されており、銅管の内部に温水が通り、温水の熱エネルギーが銅管と接する放熱用アルミフィンに伝達される仕組みである。
【００２７】
この放熱用アルミフィンに送風することで居室１５の空気と温水循環型熱源機から供給される温水との間で熱交換を行い、吸い込み空気の温度を上げている。
【００２８】
つまり、本実施の形態における熱交換器５には温水循環型熱源機から温水が供給されることとなる。
【００２９】
熱交換器５を通った後の空気は熱エネルギーを受け取ることで温度が上がっており、この空気を加湿フィルター６に通すことで、加湿フィルター６に吸水されていた加湿水を常温の空気に対して効率良く気化させて加湿空気とすることができる。
【００３０】
加湿フィルター６を通った空気は気化した水分を含んでいるために湿度が上がっており、この加湿空気を衣装パネル１０の開口された空気吹き出し口１２に取り付けられた開閉及び風向変更が可能な吹き出しルーバー１３から居室１５に吹き出され、居室１５の空気調和を図っている。
【００３１】
本実施の形態１で説明する加湿機能付き空気調和機は加湿運転の終了後に、本体１の内部に排水手段としての備えられたドレンポンプ１６にて本体１の内部に残った加湿水を排出する。
【００３２】
また、その後、シロッコファン３により一定時間送風し、本体１の内部及び加湿フィルター６を乾燥させる内部乾燥運転を行う。
【００３３】
さらに、空気吹き出し口１２に設けられ、開閉が可能な吹き出しルーバー１３を閉止すなわち全閉し、仕切板７の吹き出しルーバー１３側の一部分に設けられた仕切板の開閉部７ａを開放しすなわち吸い込み空気と吹き出し空気が混ざり、かつ本体１内部に設けられた空気吹き出し口１２の近傍に設けた静電霧化装置１７より微細水マイナスイオンを発生させながらシロッコファン３を回すことで、内部全体に除菌効果のある微細水マイナスによって内部除菌運転を行う。
【００３４】
これにより、まず、加湿運転終了後には本体１の内部の加湿水を本体１外に排出し、本体１内部を乾燥させ、加湿フィルター６にカビや雑菌の繁殖しにくい環境を作る。
【００３５】
その後の内部除菌運転にて、静電霧化装置１７より発生した微細水マイナスイオンを含む吹き出し空気が吹き出しルーバー１３でせきとめられ、仕切板の開閉部７ａと仕切板７との間を通過し、再び吸い込み空気となり本体１の内部を循環することにより加湿フィルター６に微細水マイナスイオンが満遍なく接触することとなるので、加湿フィルター６のカビや雑菌の繁殖を低減し悪臭の発生を防止することができる。
【００３６】
なお、実施の形態において内部除菌運転で吹き出し空気をせきとめ、微細水マイナスイオンを本体１の内部を循環させるために、空気吹き出し口１２に吹き出しルーバー１３を設け閉止したが、空気吸い込み口１１にも開閉手段を設け閉止しても良い。
【００３７】
これにより内部除菌運転において微細水マイナスイオンを含んだ空気を本体１の外部に漏れるのを防止し、より高濃度の微細水マイナスイオンを循環させることができ、カビや雑菌の繁殖の低減の効果を高めることができる。
【００３８】
また、上記でも記載したが、静電霧化装置１７は本体１の内部の空気吹き出し口１２近傍に設けることとし、加湿運転中にも静電霧化装置１７より微細水マイナスイオンを発生することとする。
【００３９】
これにより、加湿運転中において加湿フィルター６により加湿された空気に静電霧化装置１７より発生した微細水マイナスイオンが混ざり、居室１５に空気吹き出し口１２より吹き出されることとなり、居室１５のカビや雑菌の繁殖を低減することができる。
【００４０】
また、静電霧化装置１７を本体１の内部の空気吸い込み口１１に近傍に設けることとし、加湿運転中にも静電霧化装置１７より微細水マイナスイオンを発生することとしても良い。
【００４１】
これにより、加湿運転中においても空気吸い込み口１１より本体１の内部に吸い込まれた空気と微細水マイナスイオンが混ざり、加湿フィルター６に接触することとなるため、加湿運転中にも加湿フィルター６のカビや雑菌の繁殖を低減することができる。
【００４２】
これにより、本体１の内部をより清潔に保つことができ、悪臭の発生を防止することができる。
【産業上の利用可能性】
【００４３】
本発明にかかる加温機能付き空気調和機は、加湿フィルターのカビや雑菌の繁殖を低減し悪臭の発生を防止することができるものであるので、居室据付用の加湿空気清浄機等として有用である。
【符号の説明】
【００４４】
１    本体
２    フレーム
３    シロッコファン
４    ファンモータ
５    熱交換器
６    加湿フィルター
７    仕切板
７ａ  仕切板の開閉部
８    給水弁
９    給水配管
１０  衣装パネル
１１  空気吸い込み口
１２  空気吹き出し口
１３  吹き出しルーバー
１４  吸い込み空気フィルター
１５  居室
１６  ドレンポンプ
１７  静電霧化装置
【図１】
2015048954.tif 000003
【図２】
2015048954.tif 000004